(57)【要約】      （修正有）【課題】部材の装着位置を容易に決めることができ、作業効率を向上させる太陽光パネルの取付金具を提供する。【解決手段】上辺部と中辺部と下辺部とからなる断面コ字状の第１コ字状部材１０と第２コ字状部材２０とからなり、下辺部で折板ハゼ屋根のハゼ部を挟持固定し、上辺部に太陽光パネルを支持する支持部材を取り付ける太陽光パネルの取付金具１００において、支持部材は一端に切欠溝を有し、第１コ字状部材の上辺部には、締結具を保持するためのメスねじ孔が形成されると共に、支持部材に形成された切欠溝に嵌合して支持部材を第１コ字状部材の上辺部に位置決めする位置決め部が形成され、第２コ字状部材の上辺部には、締結具を挿通するための長孔が形成され、第１コ字状部材の上辺部のメスねじ孔の下に第２コ字状部材の上辺部の長孔が位置するように重合させて第２コ字状部材を対向方向にスライド自在に構成した。【選択図】図１
0003190457.tif 000002
【実用新案登録請求の範囲】
【請求項１】
上辺部と中辺部と下辺部とからなる第１コ字状部材と第２コ字状部材とを対向させるようにして組み立てた太陽光パネルの取付具において、
前記第１コ字状部材の上辺部には、装着する部材の位置を決めるための位置決め部を有することを特徴とする太陽光パネルの取付具。
【請求項２】
前記位置決め部は、前記第１コ字状部材の上辺部に起き上がるように形成された突起状であることを特徴とする請求項１記載の太陽光パネルの取付具。
【請求項３】
第２コ字状部材の上辺部には、長円形状の貫通孔を有することを特徴とする請求項１記載の太陽光パネルの取付具。
【考案の詳細な説明】
【技術分野】
【０００１】
本考案は、折板ハゼ屋根のハゼ板重合突出部に装着する太陽光パネルの取付具に関し、容易に取り付けることができ、かつ、スムーズな作業を行うことができる太陽光パネルの取付具に関する。
【背景技術】
【０００２】
折板ハゼ屋根上に屋根上構造物を載置する際に用いられる取付具であって、屋根上構造物を支持するためにハゼ板重合突出部に取り付けられる取付具は、従来から様々な取付具が提案されている。例えば、水平方向に対向する２つのコの字状の部材を設け、その２つのコの字状の部材を垂直方向若しくは垂直方向と水平方向とから締結具により緊締することにより、ハゼ板重合突出部に挟着するものである（特許文献１）。
【先行技術文献】
【特許文献】
【０００３】
【特許文献１】特開平９−２４７７８２号公報
【考案の概要】
【考案が解決しようとする課題】
【０００４】
しかしながら、特許文献１に示した取付具では、取付具の上面部分が滑らかなために、上面部分に装着する部材が上面部分で滑ってしまい、装着部材の位置決めが困難となるという問題がある。
従って、本考案の目的は、このような問題を解決して、装着部材の位置を容易に決めることができ、作業効率を向上させることができる太陽光パネルの取付金具を実現することにある。
【課題を解決するための手段】
【０００５】
上記課題を解決するため、本考案の太陽光パネルの取付具は、上辺部と中辺部と下辺部とからなる第１コ字状部材と第２コ字状部材とを対向させるようにして組み立てた太陽光パネルの取付具において、
前記第１コ字状部材の上辺部には、装着する部材の位置を決めるための位置決め部を有することを特徴とする。
【０００６】
また、本考案の太陽光パネルの取付具は、前記位置決め部は、前記第１コ字状部材の上辺部に起き上がるように形成された突起状であることを特徴とする。
【０００７】
さらに、本考案の太陽光パネルの取付具は、第２コ字状部材の上辺部には、長円形状の貫通孔を有することを特徴とする。
【考案の効果】
【０００８】
本考案は、以上のように構成することにより、第１コ字状部材の上辺部に位置決め部を設けることにより、上辺部に装着する部材の位置を容易に決めることができるため、太陽光パネルの取付作業を効率よく行うことができる。
【図面の簡単な説明】
【０００９】
【図１】太陽光パネルの取付具の構成を示した斜視図である。
【図２】太陽光パネルの取付金具の分解斜視図である。
【図３】図３（ａ）〜（ｂ）は、太陽光パネルの取付金具を折板ハゼ屋根に設置する方法を示した断面図である。
【図４】太陽光パネルの取付金具に装着される前方支持部材の構成を示した図である。
【図５】太陽光パネルの取付金具に装着される後方支持部材の構成を示した図である。
【図６】図６（ａ）〜（ｃ）は、太陽光パネルの取付金具に支持部材を装着する方法を示した図である。
【考案を実施するための形態】
【００１０】
以下、図面を参照しつつ本考案に係る太陽光パネルの取付具について説明する。
図１は、太陽光パネルの取付具の構成を示した斜視図であり、図２は、太陽光パネルの取付金具の分解斜視図である。
図１に示すように、太陽光パネルの取付具１００は、第１コ字状部材１０と第２のコ字状部材及びこれらを垂直方向に締結する第１のボルト３０と水平方向に締結する第２のボルト４０とから構成されている。
【００１１】
図２に示すように、第１コ字状部材１０は、縦置きした矩形平板状の部材の上部と下部を同一方向に９０度折曲した略コ字状のような形状をしており、中辺部１２の一端に上辺部１１が中辺部１２の他端に下辺部１３が、中辺部１２に対して同一方向に９０度折曲された状態で連設されている。よって、上辺部１１と下辺部１３は並行である。また、下辺部１３の水平方向の寸法は上辺部１１の水平方向の寸法の略１／２の長さに設けられている。
【００１２】
また、第１コ字状部材１０の上辺部１１には、第１のボルト３０を挿通するための第１の貫通孔１４が設けられている。この第１の貫通孔１４は、第１コ字状部材１０の上辺部１１の略中心部に設けられている。また、第１の貫通孔１４の近傍には、後述する支持部材の接続位置を決めるための位置決め部１６が設けられている。
この位置決め部１６は、上辺部１１に立ち上がるように形成された突起で構成されている。
【００１３】
また、第１コ字状部材１０の中辺部１２には、第２のボルトを挿通するための第２の貫通孔１５が設けられている。この第２の貫通孔１５は、第１コ字状部材１０の中辺部１２の略中心部よりもやや中辺部１２と上辺部１１との連設部分に近い位置に設けられている。
【００１４】
なお、第１コ字状部材１０及び第２コ字状部材２０は剛性が大きく、強度も大きい材料であればよく、金属製またはプラスチック製であってもよい。
【００１５】
第２コ字状部材２０も第１コ字状部材と同様に中辺部２２の一端に上辺部２１が、中辺部２２の他端に下辺部２３が、中辺部２２に対して同一方向に９０度折曲された状態で連設されている。また、第１コ字状部材１０と同様に下辺部２３の水平方向の寸法は上辺部２１の水平方向の寸法の略１／２の長さに設けられている。
第２のコ字状部材２０の上辺部２１には、第１コ字状部材１０の中辺部１２と同様に、第１のボルトと同様に、第３の貫通孔２４が設けられている。しかし、第３の貫通孔２４は、第１の貫通孔１４とは異なり、長円形状となっている。
また、第２コ字状部材２０の中辺部２２には、第２のボルトを挿通させるためであって第１コ字状部材１０の中辺部１１と同形状の第４の貫通孔２５が設けられている。
【００１６】
なお、それぞれのコ字状部材の下辺部１３，２３の水平方向の寸法はそれぞれ対応するコ字状部材の上辺部１１，２１の水平方向の寸法の略１／２の長さに限られず、下辺部１３と下辺部２３との長さの合計が上辺部１１と上辺部２１との長さの合計よりも短く設計してもよい。
【００１７】
また、第１コ字状部材１０の中辺部１２に設けられている第２の貫通孔１５の軸線と第２コ字状部材２０の中辺部２２に設けられている第４の貫通孔２５軸線は、第１コ字状部材１０と第２コ字状部材２０を組み立てた状態のときに同一軸線状になるように設けられている。
【００１８】
次に、第１コ字状部材１０と第２コ字状部材の組み立て手順について説明する。
まず、第１コ字状部材１０の上辺部１１と第２コ字状部材２０の上辺部２１とを対向させた状態で、第１コ字状部材１０の上辺部１１の下に第２コ字状部材２０の上辺部２１が位置するように重ねつつ、第１の貫通孔１４と第３の貫通孔２４とを重ね合わせる。その上で、第１のボルト３０の頭部３１を下に状態で、第１のボルト３０を第２コ字状部材２０の上辺部２１側から第３の貫通孔２４に挿通させ、次に、第１コ字状部材１０の第１の貫通孔１４に挿通させる。そして、ワッシャー５０を第１のボルト３０に挿通させナット６０を螺合させて締結させる。
【００１９】
次に、第２のボルト４０を第２コ字状部材２０の中辺部２３側から第４の貫通孔２５に挿通させ、同一軸線上にある第１コ字状部材１０の第２の貫通孔１５に挿通させる。そして、第１コ字状部材１０の中辺２３側からワッシャー５０を第２のボルト４０に挿通させ、ナット６０を螺合させて締結させる。
なお、上記した組み立て状態のときは第１のボルト３０及び第２のボルト４０は緊締状態ではなく、それぞれのコ字状部材１０，２０は垂直方向もしくは水平方向に自在にスライドできる状態である。
【００２０】
次に、本考案の太陽光パネルの取付金具１００の使用態様について説明する。
図３（ａ）〜（ｂ）は、太陽光パネルの取付金具を折板ハゼ屋根に設置する方法を示した断面図である。
図示するように、太陽光パネルの取付金具１００は、例えば、工場や倉庫の屋根に用いられる折板ハゼ屋根のうちハゼと呼ばれるハゼ板重合突出部２００を有する折板ハゼ屋根に取り付ける場合を示す。
【００２１】
図示するように、この折板ハゼ屋根は略波板形状をしており、波板の凸部の中央部に設けられたハゼ板重合突出部２００から隣接するハゼ板重合突出部２００までを１ユニットの折板とするものである。この折板はハゼ板重合突出部２００において隣接する折板と重合し、折板ハゼ屋根の凸部を形成する。
【００２２】
図３（ａ）に示すように、緊締状態でない取付金具１００をハゼ板重合突出部２００に被せて挟持する。この時、第１コ字状部材１０の下辺部１３の先端をハゼ板重合突出部２００の立ち上がり部２００ａに当接させる。次に、第２コ字状部材２０を対向する第１コ字状部材１０の方向へ動かす。この時、第２コ字状部材２０の上辺部２１に設けられている第３の貫通孔は長円形状であるため、長円形状の長さ方向に第２コ字状部材２０をスライドさせることで対向する第１コ字状部材１０の方向へ動かすことができる。
【００２３】
図３（ｂ）に示すように、このように、第１のコ字状部材１０及び第２コ字状部材２０でハゼ板重合突出部２００挟持した後、第２のボルト４０に螺合されたナット６０を締結することで、第１コ字状部材１０及び第２コ字状部材２０の対向する方向に対して把持力が付勢され、ハゼ板重合突出部２００を強固に挟持することができる。
【００２４】
このように、折板ハゼ屋根に設置された太陽光パネルの取付金具１００に、太陽光パネルを支持するための支持部材を取り付ける。
図４及び図５は、太陽光パネルの取付金具に装着される支持部材の構成を示した図である。
この支持部材は、太陽光パネルの前方を支持する前方支持部材３００と、後方を支持する後方支持部材４００とから構成されている。
図４に示すように、前方支持部材３００は、平板を略Ｚ字状に折曲させた形状であって、取付金具１００と当接して接続する当接部３０１と、当接部３０１の一端から約９０度に折曲されて連設する折曲部３０２と、この折曲部３０２の一端に連設し、当接部３０１と略水平状態であって太陽光パネルの前方部分を支持する支持部３０３から構成されている。当接部３０１及び支持部３０３には、それぞれに貫通孔３０１ａ，３０３ａが設けられており、貫通孔３０１ａの近傍には、上記した取付金具１００の第１コ字状部材１０の上辺部１１に設けられている位置決め部１６に嵌合する切り欠け部３０１ｂが設けられている。また、貫通孔３０３ａの近傍には、起き上がるような突起状で、太陽光パネルを載置する位置を決める位置決め部３０３ｂが設けられている。
【００２５】
一方、図５に示すように、後方支持部材４００は、長尺状の平板を略コ字状で、中間部４０２の一端に取付金具１００に当接する当接部４０１が連設され、太陽光パネルの後方を支持する支持部４０３が中間部４０２に連設され、中間部４０２に対して同一方向に９０度折曲された形状である。前方支持部材３００と同様に、当接部４０１及び支持部４０３には、貫通孔４０１ａ，４０３ａが設けられており、貫通孔４０１ａの近傍には切り欠け部４０１ｂが設けられている。
【００２６】
次に、前方支持部材３００及び後方支持部材４００の取付金具１００に装着する方法について説明する。
図６（ａ）〜（ｂ）は、太陽光パネルの取付金具に支持部材を装着する方法を示した図である。
まず、図６（ａ）に示すように、前方支持部材３００の当接部３０１に設けられている切り欠け部３０１ｂを、取付金具１００の第１コ字状部材１０の上辺部１１に設けられている位置決め部１６に嵌合させる。次に、取付金具１００に挿通されている第１のボルト３０に、当接部３０１に設けられている貫通孔３０１ａを挿通させる。そして、ワッシャー５０及びナット６０で締結することで取付金具１００に前方支持部材３００を装着することができる。
【００２７】
次に、図６（ｂ）に示すように、後方支持部材４００の当接部４０１に設けられている切り欠け部４０１ｂを、取付金具１００の第１コ字状部材１０の上辺部１１に設けられている位置決め部１６に嵌合させる。次に、取付金具１００に挿通されている第１のボルト３０に、当接部４０１に設けられている貫通孔４０１ａを挿通させる。そして、ワッシャー５０及びナット６０で締結することで取付金具１００に後方支持部材４００を装着することができる。
【００２８】
このようにして取付金具１００に装着された前方支持部材３００と後方支持部材４００の支持部３０３，４０３に太陽光パネルを載置し、第３のボルト７０が挿通された押圧部材５００を支持部３０３，４０３に太陽光パネルを挟持するようにして設置し、第３のボルト７０を支持部３０３，４０３に設けられている貫通孔３０３ａ，４０３ａに挿通し、ワッシャー５０及びナット６０で締結することで太陽光パネルの前方と後方とを押圧しつつ支持及び固定することができる（図６（ｃ））。
【符号の説明】
【００２９】
１００    取付金具
１０    第１コ字状部材
１１、２１    上辺部
１２、２２    中辺部
１３、２３    下辺部
１４    第１の貫通孔
１５    第２の貫通孔
１６    位置決め部
２０    第２コ字状部材
２４    第３の貫通孔
２５    第４の貫通孔
３０    第１のボルト
４０    第２のボルト
【図１】
0003190457.tif 000003
【図２】
0003190457.tif 000004
【図３】
0003190457.tif 000005
【図４】
0003190457.tif 000006
【図５】
0003190457.tif 000007
【図６】
0003190457.tif 000008
【手続補正書】
【提出日】平成26年2月27日(2014.2.27)
【手続補正１】
【補正対象書類名】実用新案登録請求の範囲
【補正対象項目名】全文
【補正方法】変更
【補正の内容】
【実用新案登録請求の範囲】
【請求項１】
それぞれ上辺部と中辺部と下辺部とからなる断面コ字状の第１コ字状部材と第２コ字状部材とからなり、該下辺部で折板ハゼ屋根のハゼ部を挟持固定し、該上辺部に太陽光パネルを支持する支持部材を取り付ける太陽光パネルの取付金具において、
前記支持部材は一端に切欠溝を有し、該第１コ字状部材と第２コ字状部材は対向して配置され、
前記第１コ字状部材の上辺部には、締結具を保持するためのメスねじ孔が形成されると共に、前記支持部材に形成された切欠溝に嵌合して該支持部材を前記第１コ字状部材の上辺部に位置決めする位置決め部が形成され、
前記第２コ字状部材の上辺部には、前記締結具を挿通するための長孔が形成され、該第１コ字状部材の上辺部の前記メスねじ孔の下に該第２コ字状部材の上辺部の長孔が位置するように重合させて該第２コ字状部材を対向方向にスライド自在に構成したことを特徴とする太陽光パネルの取付金具。
【請求項２】
前記位置決め部は、前記第１コ字状部材の上辺部に起き上がるように形成された突起状であることを特徴とする請求項１記載の太陽光パネルの取付金具。
【請求項３】
前記第２コ字状部材の上辺部には、長円形状の貫通孔を有することを特徴とする請求項１記載の太陽光パネルの取付金具
【手続補正２】
【補正対象書類名】明細書
【補正対象項目名】０００３
【補正方法】変更
【補正の内容】
【０００３】
【特許文献１】実用新案登録第３１２３８８５号公報
【手続補正３】
【補正対象書類名】明細書
【補正対象項目名】０００５
【補正方法】変更
【補正の内容】
【０００５】
上記課題を解決するため、本考案の太陽光パネルの取付金具は、それぞれ上辺部と中辺部と下辺部とからなる断面コ字状の第１コ字状部材と第２コ字状部材とからなり、該下辺部で折板ハゼ屋根のハゼ部を挟持固定し、該上辺部に太陽光パネルを支持する支持部材を取り付ける太陽光パネルの取付金具において、前記支持部材は一端に切欠溝を有し、該第１コ字状部材と第２コ字状部材は対向して配置され、前記第１コ字状部材の上辺部には、締結具を保持するためのメスねじ孔が形成されると共に、前記支持部材に形成された切欠溝に嵌合して該支持部材を前記第１コ字状部材の上辺部に位置決めする位置決め部が形成され、前記第２コ字状部材の上辺部には、前記締結具を挿通するための長孔が形成され、該第１コ字状部材の上辺部の前記メスねじ孔の下に該第２コ字状部材の上辺部の長孔が位置するように重合させて該第２コ字状部材を対向方向にスライド自在に構成したことを特徴とする。
【手続補正４】
【補正対象書類名】明細書
【補正対象項目名】０００６
【補正方法】変更
【補正の内容】
【０００６】
また、本考案の太陽光パネルの取付金具は、前記位置決め部は、前記第１コ字状部材の上辺部に起き上がるように形成された突起状であることを特徴とする。
【手続補正５】
【補正対象書類名】明細書
【補正対象項目名】０００７
【補正方法】変更
【補正の内容】
【０００７】
さらに、本考案の太陽光パネルの取付金具は、第２コ字状部材の上辺部には、長円形状の貫通孔を有することを特徴とする。
【手続補正６】
【補正対象書類名】明細書
【補正対象項目名】００１０
【補正方法】変更
【補正の内容】
【００１０】
以下、図面を参照しつつ本考案に係る太陽光パネルの取付金具について説明する。
図１は、太陽光パネルの取付金具の構成を示した斜視図であり、図２は、太陽光パネルの取付金具の分解斜視図である。
図１に示すように、太陽光パネルの取付金具１００は、第１コ字状部材１０と第２コ字状部材２０及びこれらを垂直方向に締結する第１のボルト３０と水平方向に締結する第２のボルト４０とから構成されている。
【手続補正７】
【補正対象書類名】明細書
【補正対象項目名】００１２
【補正方法】変更
【補正の内容】
【００１２】
また、第１コ字状部材１０の上辺部１１には、第１のボルト３０を挿通するための第１の貫通孔１４が設けられている。この第１の貫通孔１４は、第１コ字状部材１０の上辺部１１の略中心部に設けられている。また、第１の貫通孔１４の近傍には、後述する支持部材の接続位置を決めるための位置決め部１５が設けられている。
この位置決め部１５は、上辺部１１に立ち上がるように形成された突起で構成されている。
【手続補正８】
【補正対象書類名】明細書
【補正対象項目名】００１３
【補正方法】変更
【補正の内容】
【００１３】
また、第１コ字状部材１０の中辺部１２には、第２のボルト４０を挿通するための第２の貫通孔１６が設けられている。この第２の貫通孔１６は、第１コ字状部材１０の中辺部１２の略中心部よりもやや中辺部１２と上辺部１１との連設部分に近い位置に設けられている。
【手続補正９】
【補正対象書類名】明細書
【補正対象項目名】００１５
【補正方法】変更
【補正の内容】
【００１５】
第２コ字状部材２０も第１コ字状部材と同様に中辺部２２の一端に上辺部２１が、中辺部２２の他端に下辺部２３が、中辺部２２に対して同一方向に９０度折曲された状態で連設されている。また、第１コ字状部材１０と同様に下辺部２３の水平方向の寸法は上辺部２１の水平方向の寸法の略１／２の長さに設けられている。
第２コ字状部材２０の上辺部２１には、第１コ字状部材１０の中辺部１２と同様に、第３の貫通孔２４が設けられている。しかし、第３の貫通孔２４は、第１の貫通孔１４とは異なり、長円形状となっている。
また、第２コ字状部材２０の中辺部２２には、第２のボルト４０を挿通させるためであって第１コ字状部材１０の中辺部１１と同形状の第４の貫通孔２５（図３に示す）が設けられている。
【手続補正１０】
【補正対象書類名】明細書
【補正対象項目名】００１７
【補正方法】変更
【補正の内容】
【００１７】
また、第１コ字状部材１０の中辺部１２に設けられている第２の貫通孔１６の軸線と第２コ字状部材２０の中辺部２２に設けられている第４の貫通孔２５の軸線は、第１コ字状部材１０と第２コ字状部材２０を組み立てた状態のときに同一軸線状になるように設けられている。
【手続補正１１】
【補正対象書類名】明細書
【補正対象項目名】００１９
【補正方法】変更
【補正の内容】
【００１９】
次に、第２のボルト４０を第１コ字状部材１０の中辺部１２側から第２の貫通孔１６に挿通させ、同一軸線上にある第２コ字状部材２０の第４の貫通孔２５に挿通させる。そして、第１コ字状部材１０の中辺部１２側からワッシャー５０を第２のボルト４０に挿通させ、ナット６０を螺合させて締結させる。
なお、上記した組み立て状態のときは第１のボルト３０及び第２のボルト４０は緊締状態ではなく、それぞれのコ字状部材１０，２０は垂直方向もしくは水平方向に自在にスライドできる状態である。
【手続補正１２】
【補正対象書類名】明細書
【補正対象項目名】００２２
【補正方法】変更
【補正の内容】
【００２２】
図３（ａ）に示すように、緊締状態でない取付金具１００をハゼ板重合突出部２００に被せて挟持する。この時、第１コ字状部材１０の下辺部１３の先端をハゼ板重合突出部２００に当接させる。次に、第２コ字状部材２０を対向する第１コ字状部材１０の方向へ動かす。この時、第２コ字状部材２０の上辺部２１に設けられている第３の貫通孔２４は、長円形状であるため、長円形状の長さ方向に第２コ字状部材２０をスライドさせることで対向する第１コ字状部材１０の方向へ動かすことができる。
【手続補正１３】
【補正対象書類名】明細書
【補正対象項目名】００２４
【補正方法】変更
【補正の内容】
【００２４】
このように、折板ハゼ屋根に設置された太陽光パネルの取付金具１００に、太陽光パネルを支持するための支持部材を取り付ける。
図４及び図５は、太陽光パネルの取付金具に装着される支持部材の構成を示した図である。
この支持部材は、太陽光パネルの前方を支持する前方支持部材３００と、後方を支持する後方支持部材４００とから構成されている。
図４に示すように、前方支持部材３００は、平板を略Ｚ字状に折曲させた形状であって、取付金具１００と当接して接続する当接部３０１と、当接部３０１の一端から約９０度に折曲されて連設する折曲部３０２と、この折曲部３０２の一端に連設し、当接部３０１と略水平状態であって太陽光パネルの前方部分を支持する支持部３０３から構成されている。当接部３０１及び支持部３０３には、それぞれに貫通孔３０１ａ，３０３ａが設けられており、貫通孔３０１ａの近傍には、上記した取付金具１００の第１コ字状部材１０の上辺部１１に設けられている位置決め部１５に嵌合する切欠部３０１ｂが設けられている。また、貫通孔３０３ａの近傍には、起き上がるような突起状で、太陽光パネルを載置する位置を決める位置決め部３０３ｂが設けられている。
【手続補正１４】
【補正対象書類名】明細書
【補正対象項目名】００２６
【補正方法】変更
【補正の内容】
【００２６】
次に、前方支持部材３００及び後方支持部材４００の取付金具１００に装着する方法について説明する。
図６（ａ）〜（ｂ）は、太陽光パネルの取付金具に支持部材を装着する方法を示した図である。
まず、図６（ａ）に示すように、前方支持部材３００の当接部３０１に設けられている切欠部３０１ｂを、取付金具１００の第１コ字状部材１０の上辺部１１に設けられている位置決め部１５に嵌合させる。次に、取付金具１００に挿通されている第１のボルト３０に、当接部３０１に設けられている貫通孔３０１ａを挿通させる。そして、ワッシャー５０及びナット６０で締結することで取付金具１００に前方支持部材３００を装着することができる。
【手続補正１５】
【補正対象書類名】明細書
【補正対象項目名】００２７
【補正方法】変更
【補正の内容】
【００２７】
次に、図６（ｂ）に示すように、後方支持部材４００の当接部４０１に設けられている切欠部４０１ｂを、取付金具１００の第１コ字状部材１０の上辺部１１に設けられている位置決め部１５に嵌合させる。次に、取付金具１００に挿通されている第１のボルト３０に、当接部４０１に設けられている貫通孔４０１ａを挿通させる。そして、ワッシャー５０及びナット６０で締結することで取付金具１００に後方支持部材４００を装着することができる。
【手続補正１６】
【補正対象書類名】明細書
【補正対象項目名】００２９
【補正方法】変更
【補正の内容】
【００２９】
１００    取付金具
１０    第１コ字状部材
１１、２１    上辺部
１２、２２    中辺部
１３、２３    下辺部
１４    第１の貫通孔
１５    位置決め部
１６    第２の貫通孔
２０    第２コ字状部材
２４    第３の貫通孔
２５    第４の貫通孔
３０    第１のボルト
４０    第２のボルト
【手続補正１７】
【補正対象書類名】図面
【補正対象項目名】全図
【補正方法】変更
【補正の内容】
【図１】
0003190457.tif 000009
【図２】
0003190457.tif 000010
【図３】
0003190457.tif 000011
【図４】
0003190457.tif 000012
【図５】
0003190457.tif 000013
【図６】
0003190457.tif 000014